(57)【要約】      （修正有）【課題】低コストで、ストリング単位の異常を判定することを可能とする太陽光発電装置を提供する。【解決手段】複数の太陽電池パネルを直列に接続して構成されたストリングＳ１〜Ｓ８を複数備えた太陽光発電装置であって、ストリングＳ１〜Ｓ８の総数よりも少ない複数のＤＣ／ＤＣコンバータ８Ａ、８Ｂと、各ストリングＳ１〜Ｓ８に対して、複数のＤＣ／ＤＣコンバータ８Ａ、８Ｂのうち任意のＤＣ／ＤＣコンバータを選択して接続可能とした接続部７と、を備えている太陽光発電装置。【選択図】図４
2015162927.tif 000002
【特許請求の範囲】
【請求項１】
複数の太陽電池パネルを直列に接続して構成されたストリングを複数備えた太陽光発電装置であって、
前記ストリングの総数よりも少ない複数のＤＣ／ＤＣコンバータと、
前記各ストリングに対して、複数の前記ＤＣ／ＤＣコンバータのうち任意の前記ＤＣ／ＤＣコンバータを選択して接続可能とした接続部と、を備えている太陽光発電装置。
【請求項２】
前記各ストリングの太陽電池パネルが太陽を追尾するように、複数の前記ストリングがまとめて姿勢変化可能に取り付けられた単一の追尾架台を備えている請求項１に記載の太陽光発電装置。
【請求項３】
複数の前記ストリングは、直列に接続される前記太陽電池パネルの個数がいずれも同一である請求項１又は請求項２に記載の太陽光発電装置。
【請求項４】
複数の前記ＤＣ／ＤＣコンバータは、前記接続部により接続される前記ストリングの個数がいずれも同一である請求項１〜請求項３のいずれか１項に記載の太陽光発電装置。
【請求項５】
前記接続部は、前記各ストリングに対する複数の前記ＤＣ／ＤＣコンバータそれぞれとの接続を個別にオン・オフする開閉スイッチを複数有する請求項１〜請求項４のいずれか１項に記載の太陽光発電装置。
【請求項６】
前記接続部は、前記各ストリングに対して複数の前記ＤＣ／ＤＣコンバータのいずれか１つを接続するように切り替え可能な切替スイッチを複数有する請求項１〜請求項４のいずれか１項に記載の太陽光発電装置。
【請求項７】
請求項１に記載の太陽光発電装置と、
前記太陽光発電装置の前記接続部における前記ＤＣ／ＤＣコンバータの選択接続を遠隔操作可能な遠隔操作部と、を備えている太陽光発電システム。
【請求項８】
前記各ストリングの出力電流及び出力電圧、又は前記各ストリングの発電量を計測する計測部と、
前記計測部の計測結果を出力する出力部と、を備えている請求項１〜請求項６のいずれか１項に記載の太陽光発電装置。
【請求項９】
請求項８に記載の太陽光発電装置と、
前記太陽光発電装置の前記接続部における前記ＤＣ／ＤＣコンバータの選択接続を遠隔操作可能な遠隔操作部と、
前記太陽光発電装置の前記計測部の計測結果を取得する取得部と、
取得した前記計測結果に基づいて、前記ストリング及び前記ＤＣ／ＤＣコンバータのうちの少なくとも一方の異常を判定する判定部と、を備えている太陽光発電システム。
【発明の詳細な説明】
【技術分野】
【０００１】
本発明は、太陽光発電装置および太陽光発電システムに関する。
【背景技術】
【０００２】
複数の太陽電池パネルを備えた太陽光発電システムでは、太陽電池パネルの経年劣化により発電量が低下したり、太陽電池パネルが故障したりすることがある。しかし、複数の太陽電池パネルを一括で電力変換を行っている場合、どの太陽電池パネルに異常があるのかを判定することは非常に難しい。そこで、所定数の太陽電池パネルを直列に接続して構成されたストリング単位でＤＣ／ＤＣコンバータを設置し、このＤＣ／ＤＣコンバータの発電量を監視することで、ストリング単位で早期に異常を発見することができる監視システムが提案されている（例えば、非特許文献１及び２参照）。
【先行技術文献】
【非特許文献】
【０００３】
【非特許文献１】「ストリングモニター  ＳＴＭ−８」、東洋計器株式会社、２０１３年１月
【非特許文献２】「ＳＵＮ−ＰＶＳ  太陽光発電ストリング監視システム  Ｖｅｒ３」、新栄電子計測器株式会社、２０１３年６月
【発明の概要】
【発明が解決しようとする課題】
【０００４】
しかしながら、上記監視システムにあっては、ストリング毎にＤＣ／ＤＣコンバータを設置する必要があるため、設備コストがかかるという問題がある。特に、各ストリングの太陽電池パネルが太陽を追尾するように、複数のストリングをまとめて姿勢変化可能に取り付けた追尾架台を複数備えた太陽光発電システムにあっては、設備コストの増大という問題がより深刻となる。すなわち、複数の追尾架台のストリングを単一のＤＣ／ＤＣコンバータに接続した場合、いずれか１台の追尾架台による太陽の追尾精度が少しでも低下すると、その追尾架台のストリングの発電量が大幅に低下するだけでなく、他の全ての追尾架台のストリングの発電量も低下することになる。このため、複数の追尾架台を備えた太陽光発電システムでは、システム全体の発電量の低下を抑えるために、各追尾架台のストリング毎にＤＣ／ＤＣコンバータを設置する必要があり、設備コストが大幅に増大する。
本発明は、このような問題点に鑑みてなされたものであり、低コストで、ストリング単位の異常を判定することが可能な太陽光発電装置および太陽光発電システムを提供することを目的とする。
【課題を解決するための手段】
【０００５】
本発明は、複数の太陽電池パネルを直列に接続して構成されたストリングを複数備えた太陽光発電装置であって、前記ストリングの総数よりも少ない複数のＤＣ／ＤＣコンバータと、前記各ストリングに対して、複数の前記ＤＣ／ＤＣコンバータのうち任意の前記ＤＣ／ＤＣコンバータを選択して接続可能とした接続部と、を備えている太陽光発電装置である。
【０００６】
他の観点からみた本発明は、前記太陽光発電装置と、前記太陽光発電装置の前記接続部における前記ＤＣ／ＤＣコンバータの選択接続を遠隔操作可能な遠隔操作部と、を備えている太陽光発電システムである。
【０００７】
他の観点からみた本発明は、前記太陽光発電装置と、前記太陽光発電装置の前記接続部における前記ＤＣ／ＤＣコンバータの選択接続を遠隔操作可能な遠隔操作部と、前記太陽光発電装置の前記計測部の計測結果を取得する取得部と、取得した前記計測結果に基づいて、前記ストリング及び前記ＤＣ／ＤＣコンバータのうちの少なくとも一方の異常を判定する判定部と、を備えている太陽光発電システムである。
【発明の効果】
【０００８】
本発明によれば、低コストで、ストリング単位の異常を判定することができる。
【図面の簡単な説明】
【０００９】
【図１】本発明の第１実施形態に係る太陽光発電システムの斜視図である。
【図２】太陽光発電装置の斜視図である。
【図３】太陽光発電装置の側面図である。
【図４】太陽光発電システムの全体構成を示すブロック図である。
【図５】ＤＣ／ＤＣコンバータの内部構成を示す機能ブロック図である。
【図６】中央装置の内部構成を示す機能ブロック図である。
【図７】異常判定方法を示すフローチャートである。
【図８】異常判定方法を示すフローチャートである。
【図９】本発明の第２実施形態に係る太陽光発電システムの太陽光発電装置を示すブロック図である。
【図１０】本発明の第３実施形態に係る太陽光発電システムの全体構成を示すブロック図である。
【図１１】第３実施形態の中央装置の内部構成を示す機能ブロック図である。
【図１２】第３実施形態の信号線の配線経路を示すブロック図である。
【発明を実施するための形態】
【００１０】
［本発明の実施形態の説明］
最初に本発明の実施形態の内容を列記して説明する。
（１）本発明の実施形態に係る太陽光発電装置は、複数の太陽電池パネルを直列に接続して構成されたストリングを複数備えた太陽光発電装置であって、前記ストリングの総数よりも少ない複数のＤＣ／ＤＣコンバータと、前記各ストリングに対して、複数の前記ＤＣ／ＤＣコンバータのうち任意の前記ＤＣ／ＤＣコンバータを選択して接続可能とした接続部と、を備えている。
上記太陽光発電装置によれば、ＤＣ／ＤＣコンバータの総数は、ストリングの総数よりも少ないため、従来のストリング毎にＤＣ／ＤＣコンバータを設置する場合に比べて設備コストを低減することができる。また、各ストリングに対して任意のＤＣ／ＤＣコンバータを選択して接続することができるため、例えば、異常が発生したときに各ストリングに対して接続するＤＣ／ＤＣコンバータを適宜変更し、変更前の各ＤＣ／ＤＣコンバータの発電量と変更後の各ＤＣ／ＤＣコンバータの発電量とを比較することで、異常が発生したストリングを特定していくことができる。これにより、低コストで、ストリング単位の異常を判定することができる。
【００１１】
（２）前記（１）の太陽光発電装置は、前記各ストリングの太陽電池パネルが太陽を追尾するように、複数の前記ストリングがまとめて姿勢変化可能に取り付けられた単一の追尾架台を備えているのが好ましい。
この場合、単一の追尾架台に取り付けられたストリングの総数よりも、ＤＣ／ＤＣコンバータの総数を少なくすることができるため、太陽を追尾する追尾架台を備えた太陽光発電装置において特に問題となる設備コストの増大を効果的に低減することができる。
【００１２】
（３）前記（１）又は（２）の複数の前記ストリングは、直列に接続される前記太陽電池パネルの個数がいずれも同一であることが好ましい。この場合、異常が発生したストリングを容易に特定することができる。
【００１３】
（４）前記（１）〜（３）のいずれかの複数の前記ＤＣ／ＤＣコンバータは、前記接続部により接続される前記ストリングの個数がいずれも同一であることが好ましい。この場合、異常が発生したストリングをさらに容易に特定することができる。
【００１４】
（５）前記（１）〜（４）のいずれかの前記接続部は、前記各ストリングに対する複数の前記ＤＣ／ＤＣコンバータそれぞれとの接続を個別にオン・オフする開閉スイッチを複数有するのが好ましい。
この場合、入手しやすい開閉スイッチを用いることができるので、設備コストをさらに低減することができる。
【００１５】
（６）前記（１）〜（４）のいずれかの前記接続部は、前記各ストリングに対して複数の前記ＤＣ／ＤＣコンバータのいずれか１つを接続するように切り替え可能な切替スイッチを複数有するのが好ましい。
この場合、切替スイッチにより、各ストリングに対してＤＣ／ＤＣコンバータのいずれか１つが接続されるので、各ストリングに複数のＤＣ／ＤＣコンバータが同時に接続されるのを防止することができる。
【００１６】
（７）他の観点からみた本発明の実施形態に係る太陽光発電システムは、前記（１）に記載の太陽光発電装置と、前記太陽光発電装置の前記接続部における前記ＤＣ／ＤＣコンバータの選択接続を遠隔操作可能な遠隔操作部と、を備えている。
上記太陽光発電システムによれば、遠隔操作部により各ストリングに対する複数のＤＣ／ＤＣコンバータの選択接続が容易となる。
【００１７】
（８）前記（１）〜（６）のいずれかの太陽光発電装置は、前記各ストリングの出力電流及び出力電圧、又は前記各ストリングの発電量を計測する計測部と、前記計測部の計測結果を出力する出力部と、を備えているのが好ましい。
この場合、出力部から出力された各ストリングの出力電流及び出力電圧、又は各ストリングの発電量に基づいて、異常が発生したストリングを特定することができる。
【００１８】
（９）他の観点からみた本発明の実施形態に係る太陽光発電システムは、前記（７）に記載の太陽光発電装置と、前記太陽光発電装置の前記接続部における前記ＤＣ／ＤＣコンバータの選択接続を遠隔操作可能な遠隔操作部と、前記太陽光発電装置の前記計測部の計測結果を取得する取得部と、取得した前記計測結果に基づいて、前記ストリング及び前記ＤＣ／ＤＣコンバータのうちの少なくとも一方の異常を判定する判定部と、を備えている。
上記太陽光発電システムによれば、計測部の計測結果である各ストリングの出力電流及び出力電圧、又は各ストリングの発電量に基づいて、ストリング及びＤＣ／ＤＣコンバータの少なくとも一方の異常を判定部により判定することができるため、前記少なくとも一方の異常を迅速に判定することができる。
【００１９】
［本発明の実施形態の詳細］
以下、本発明の実施形態について添付図面に基づき詳細に説明する。
＜第１実施形態＞
図１は、本発明の第１実施形態に係る太陽光発電システムを示す斜視図である。図１に示すように、本実施形態の太陽光発電システム１は、太陽光を利用して発電する複数の太陽光発電装置２を備えている。本実施形態の太陽光発電装置２は、横方向（Ｘ方向）に６列及び縦方向（Ｙ方向）に６行、合計３６個設けられている。なお、太陽光発電装置２の総数、横方向の列数、及び縦方向の行数は、ケースバイケースで適宜設定される。
【００２０】
＜太陽光発電装置＞
図２は、太陽光発電装置２を示す斜視図である。図３は、太陽光発電装置２を示す側面図である。図２及び図３に示すように、太陽光発電装置２は、縦方向に並列に配置された複数（図例では８個）のストリングＳ１〜Ｓ８からなる太陽電池アレイ３を備えている。各ストリングＳ１〜Ｓ８は、複数の太陽電池パネル４を横方向に直列に接続して構成されている（図４参照）。本実施形態における各ストリングＳ１〜Ｓ８は、いずれも同数となる８個の太陽電池パネル４が直列に接続されている。なお、直列に接続される太陽電池パネル４の個数、及びストリングの個数は、ケースバイケースで適宜設定される。
【００２１】
本実施形態の太陽光発電装置２は、各ストリングＳ１〜Ｓ８の太陽電池パネル４の受光面４ａが太陽を追尾しながら発電する太陽追尾型の太陽光発電装置からなる。太陽電池パネル４は、太陽光をレンズ（図示省略）で集光して発電する集光型太陽電池パネルからなる。なお、太陽光発電装置２は、各ストリングＳ１〜Ｓ８の太陽電池パネル４の受光面４ａを固定する固定型の太陽光発電装置であっても良い。また、太陽電池パネル４は、例えばシリコン系の太陽電池パネルのように、太陽光を直接照射して発電する非集光型太陽電池パネルであっても良い。
【００２２】
図３に示すように、太陽光発電装置２は、太陽電池パネル４の受光面４ａが太陽を追尾するように、前記太陽電池アレイ３が姿勢変化可能に取り付けられた追尾架台５と、太陽電池アレイ３を姿勢変化させる駆動部６とを備えている。追尾架台５は、地表に垂直に立てられた柱部５ａと、この柱部５ａの上端部に対して水平旋回可能に設けられた旋回台５ｂと、この旋回台５ｂの上方において太陽電池アレイ３を起伏可能に支持する支持部材５ｃとを有している。これにより、単一の追尾架台５によって、複数のストリングＳ１〜Ｓ８をまとめて姿勢変化させることができる。
【００２３】
駆動部６は、太陽電池アレイ３を起伏回動させる起伏駆動部６ａと、太陽電池アレイ３を水平旋回させる旋回駆動部６ｂとを有している。起伏駆動部６ａは、例えば油圧シリンダからなり、この油圧シリンダを伸縮させることで、太陽電池アレイ３を起立姿勢（図３の実線で示す状態）と水平姿勢（図３の二点鎖線で示す状態）との間で起伏回動させることができる。
【００２４】
旋回駆動部６ｂは、例えば油圧モータからなり、柱部５ａ内に配置されている。旋回駆動部６ｂは、前記旋回台５ｂを旋回させることで、太陽電池アレイ３を柱部５ａの軸心回りに水平旋回させるようになっている。したがって、太陽電池アレイ３を、旋回駆動部６ｂで水平旋回させながら起伏駆動部６ａで起伏させることにより、各ストリングＳ１〜Ｓ８の太陽電池パネル４の受光面４ａを常に太陽に正対させることができる。
【００２５】
図４は、太陽光発電システム１の全体構成を示すブロック図である。太陽光発電システム１は、複数の前記太陽光発電装置２と、各太陽光発電装置２に接続された中央装置１１とを備えている。各太陽光発電装置２は、接続部７と、ストリングＳ１〜Ｓ８の総数（８個）よりも少ない複数（図例では２個）のＤＣ／ＤＣコンバータ８Ａ，８Ｂと、これらのＤＣ／ＤＣコンバータ８Ａ，８Ｂに接続されたインバータ９とを備えている。
なお、本実施形態では、ＤＣ／ＤＣコンバータ自体を用いているが、これに代えてＤＣ／ＤＣコンバータを有するパワーコンディショナー（PCS：Power Conditioning System）を用いても良い。
【００２６】
接続部７は、各ストリングＳ１〜Ｓ８に対して、複数のＤＣ／ＤＣコンバータ８Ａ，８Ｂのうち任意のＤＣ／ＤＣコンバータを選択して接続可能としたものである。本実施形態の接続部７は、各ストリングＳ１〜Ｓ８に対する複数のＤＣ／ＤＣコンバータ８Ａ，８Ｂそれぞれとの接続を個別にオン・オフする複数（図例では１６個）の開閉スイッチ７１Ａ〜７８Ａ，７１Ｂ〜７８Ｂを有している。なお、本実施形態の開閉スイッチ７１Ａ〜７８Ａ，７１Ｂ〜７８Ｂは、いずれも手動でオン・オフ切り替えされる。
【００２７】
開閉スイッチ７１Ａは、ストリングＳ１に対するＤＣ／ＤＣコンバータ８Ａの接続を個別にオン・オフするものであり、開閉スイッチ７１Ｂは、ストリングＳ１に対するＤＣ／ＤＣコンバータ８Ｂの接続をオン・オフするものである。同様に、開閉スイッチ７２Ａ〜７８Ａは、それぞれストリングＳ２〜Ｓ８に対するＤＣ／ＤＣコンバータ８Ａの接続をオン・オフするものであり、開閉スイッチ７２Ｂ〜７８Ｂは、それぞれストリングＳ２〜Ｓ８に対するＤＣ／ＤＣコンバータ８Ｂの接続をオン・オフするものである。
【００２８】
本実施形態では、通常時は、開閉スイッチ７１Ａ〜７４Ａ及び開閉スイッチ７５Ｂ〜７８Ｂをオン状態とし、開閉スイッチ７５Ａ〜７８Ａ及び開閉スイッチ７１Ｂ〜７４Ｂをオフ状態としている。すわなち、通常時は、ストリングＳ１〜Ｓ４に対してＤＣ／ＤＣコンバータ８Ａが接続され、ストリングＳ５〜Ｓ８に対してＤＣ／ＤＣコンバータ８Ｂが接続されている。これにより、複数のＤＣ／ＤＣコンバータ８Ａ，８Ｂは、接続部７により接続されるストリングＳ１〜Ｓ８の個数がいずれも同一とされている。
【００２９】
図５は、ＤＣ／ＤＣコンバータ８Ａ，８Ｂの内部構成を示す機能ブロック図である。図５に示すように、ＤＣ／ＤＣコンバータ８Ａ，８Ｂは、制御部８１と、計測部８２と、通信部（出力部）８３と、記憶部８４とを含んでいる。
制御部８１は、一または複数のマイクロコンピュータから構成されている。制御部８１には、内部バスを介して計測部８２、通信部８３及び記憶部８４が接続されており、制御部８１はこれらのハードウェア各部の動作を制御する。
【００３０】
制御部８１は、接続されたストリングＳ１〜Ｓ８毎に、最大電力を効率良く取り出すための最大電力点追従（Maximum Power Point Tracking；ＭＰＰＴ）制御を行う。
計測部８２は、図示しない電流センサ及び電圧センサにより、接続されたストリングＳ１〜Ｓ８の出力電流及び出力電圧をそれぞれ計測する。なお、計測部８２は、計測した出力電流と出力電圧との積により、接続されたストリングＳ１〜Ｓ８の発電量を算出するようにしても良い。
【００３１】
通信部８３は、中央装置１１との間で有線通信又は無線通信するための通信インターフェースである。通信部８３は、計測部８２の計測結果である出力電流及び出力電圧を含む計測情報を中央装置１１の通信部１３に送信可能である。
記憶部８４は、ハードディスクや半導体メモリ等から構成されており、前記ＭＰＰＴ制御のための制御プログラムを記憶している。また、記憶部８４は、計測部８２が生成した計測情報の一時的な記憶領域も有する。
【００３２】
＜中央装置＞
図６は、中央装置１１の内部構成を示す機能ブロック図である。図６に示すように、中央装置１１は、制御部１２と、通信部（出力部）１３と、表示部１４と、記憶部１５とを含んでいる。
制御部１２は、ワークステーション（ＷＳ）やパーソナルコンピュータ（ＰＣ）等よりなり、複数のＤＣ／ＤＣコンバータ８Ａ，８Ｂからの各種データの収集・処理（演算）・記録を統括的に行う。
【００３３】
通信部１３は、通信回線を介して各太陽光発電装置２のＤＣ／ＤＣコンバータ８Ａ，８Ｂに接続された通信インタフェースであり、各ＤＣ／ＤＣコンバータ８Ａ，８Ｂから前記計測情報を受信する。記憶部１５は、通信部１３が受信した計測情報を記憶する記憶領域も有する。
【００３４】
表示部１４は、各ＤＣ／ＤＣコンバータ８Ａ，８Ｂから取得した計測情報が表示される表示画面により構成されており、中央オペレータに各太陽光発電装置２の発電状況等を報知するものである。また、中央オペレータは、表示部１４に表示された計測情報に基づいて、各ストリングＳ１〜Ｓ８及び各ＤＣ／ＤＣコンバータ８Ａ，８Ｂの異常を判定する。
【００３５】
＜異常判定方法＞
図７及び図８は、各ストリングＳ１〜Ｓ８及び各ＤＣ／ＤＣコンバータ８Ａ，８Ｂの異常を判定する方法を示すフローチャートである。以下、この図７及び図８を参照しつつ、前記判定方法について説明する。なお、ここでは、接続部７が図４に示す接続状態で、ストリングＳ１〜Ｓ８及び各ＤＣ／ＤＣコンバータ８Ａ，８Ｂのいずれかに異常が発生した場合について説明する。
図７に示すように、まず、ＤＣ／ＤＣコンバータ８Ａに接続されたストリングＳ１〜Ｓ４の総発電量ＰA、及びＤＣ／ＤＣコンバータ８Ｂに接続されたストリングＳ５〜Ｓ８の総発電量ＰBが、ＰA＜ＰBかつＰA／ＰB≒Ｃ1の関係式を満たすか否かをチェックする（ステップＳＴ１）。ここで、Ｃ1は定数である。また、総発電量ＰA，ＰBは、計測情報に含まれる各ストリングＳ１〜Ｓ８の出力電流及び出力電圧から算出したものである。
【００３６】
通常、ストリングＳ１〜Ｓ８等に異常が発生していない場合、各ＤＣ／ＤＣコンバータ８Ａ，８Ｂに接続されているストリングは同じ個数（４個）であるため、総発電量ＰAと総発電量ＰBとは同じ発電量となる。しかし、ストリングＳ１〜Ｓ８等に異常が発生した場合、総発電量ＰA及び総発電量ＰBのいずれか一方の値が他方の値よりも少ない値を示すため、上記関係式のチェックが最初に行われる。
【００３７】
総発電量ＰA，ＰBがステップＳＴ１の関係式を満たす場合、すなわち総発電量ＰAが総発電量ＰBよりも少ない場合、ストリングＳ１〜Ｓ４及びＤＣ／ＤＣコンバータ８Ａのいずれか一方において故障等により異常が発生していることが分かる。そこで、次に、接続部７の開閉スイッチ７１Ａ〜７８Ａ，７１Ｂ〜７８Ｂをそれぞれ切り替えて、ストリングＳ１〜Ｓ４をＤＣ／ＤＣコンバータ８ＡからＤＣ／ＤＣコンバータ８Ｂに接続を変更するとともに、ストリングＳ５〜Ｓ８をＤＣ／ＤＣコンバータ８ＢからＤＣ／ＤＣコンバータ８Ａに接続を変更する（ステップＳＴ２）。具体的には、図４に示す接続状態から、開閉スイッチ７１Ａ〜７４Ａをオフにしてから開閉スイッチ７１Ｂ〜７４Ｂをオンに切り替えるとともに、開閉スイッチ７５Ｂ〜７８Ｂをオフにしてから開閉スイッチ７５Ａ〜７８Ａをオンに切り替える。
【００３８】
次に、ＤＣ／ＤＣコンバータ８Ａに接続された複数のストリングＳ５〜Ｓ８の総発電量ＰA、及びＤＣ／ＤＣコンバータ８Ｂに接続された複数のストリングＳ１〜Ｓ４の総発電量ＰBが、ＰA＞ＰBかつＰA／ＰB≒１/Ｃ1の関係式を満たすか否かをチェックする（ステップＳＴ３）。このステップＳＴ３の関係式は、ステップＳＴ１の関係式と逆の関係を示すものである。
【００３９】
ステップＳＴ２においてストリングＳ１〜Ｓ４及びストリングＳ５〜Ｓ８は、それぞれ接続されるＤＣ／ＤＣコンバータ８Ａ，８Ｂを逆にしたので、ストリングＳ１〜Ｓ４に異常が発生していれば、総発電量ＰA，ＰBの関係もステップＳＴ１の関係式と逆の関係になり、ステップＳＴ３の関係式を満たすことになる。すなわち、ステップＳＴ３の関係式を満たすか否かによって、ストリングＳ１〜Ｓ４及びＤＣ／ＤＣコンバータ８Ａのいずれか一方に異常が発生していることが分かる。
【００４０】
したがって、総発電量ＰA，ＰBがステップＳＴ３の関係式を満たない場合は、ＤＣ／ＤＣコンバータ８Ａに異常が発生していると判定される（ステップＳＴ４）。
一方、総発電量ＰA，ＰBがステップＳＴ３の関係式を満たす場合は、ストリングＳ１〜Ｓ４のいずれかに異常が発生していることが分かるため、その異常が発生しているストリングを特定していくために、次のステップＳＴ５に移行する。
【００４１】
ステップＳＴ５では、ステップＳＴ２の接続状態から、ストリングＳ３，Ｓ４をＤＣ／ＤＣコンバータ８ＢからＤＣ／ＤＣコンバータ８Ａに接続を変更するとともに、ストリングＳ５〜Ｓ８のうちのいずれか２個（ここではストリングＳ５，Ｓ６）をＤＣ／ＤＣコンバータ８ＡからＤＣ／ＤＣコンバータ８Ｂに接続を変更する。具体的には、開閉スイッチ７３Ｂ，７４Ｂをオフにして開閉スイッチ７３Ａ，７４Ａをオンに切り替えるとともに、開閉スイッチ７５Ａ，７６Ａをオフにして開閉スイッチ７５Ｂ，７６Ｂをオンに切り替える。これにより、ＤＣ／ＤＣコンバータ８ＡにはストリングＳ３，Ｓ４，Ｓ７，Ｓ８が接続され、ＤＣ／ＤＣコンバータ８ＢにはストリングＳ１，Ｓ２，Ｓ５，Ｓ６が接続された状態となる。
【００４２】
次に、ＤＣ／ＤＣコンバータ８Ａに接続された複数のストリングＳ３，Ｓ４，Ｓ７，Ｓ８の総発電量ＰA、及びＤＣ／ＤＣコンバータ８Ｂに接続された複数のストリングＳ１，Ｓ２，Ｓ５，Ｓ６の総発電量ＰBが、ＰA＞ＰBかつＰA／ＰB≒１/Ｃ1の関係式を満たすか否かをチェックする（ステップＳＴ６）。このステップＳＴ６の関係式は、ステップＳＴ３の関係式と同じものである。
【００４３】
ステップＳＴ５において、ストリングＳ１〜Ｓ４のうちストリングＳ１，Ｓ２がＤＣ／ＤＣコンバータ８Ｂに接続された状態で維持される。このため、ストリングＳ１又はストリングＳ２に異常が発生していれば、総発電量ＰA，ＰBはステップＳＴ３の関係式と同じ関係になるため、ステップＳＴ６の関係式を満たすことになる。すなわち、ステップＳＴ６の関係式を満たすか否かによって、ストリングＳ１，Ｓ２及びストリングＳ３，Ｓ４のいずれか一方に異常が発生していることが分かる。
【００４４】
したがって、総発電量ＰA，ＰBがステップＳＴ６の関係式を満たす場合は、ストリングＳ１，Ｓ２のいずれかに異常が発生していることが分かる。そこで、次に、ストリングＳ１，Ｓ２のどちらに異常が発生しているかを特定するために、次のステップＳＴ７に移行する。
【００４５】
ステップＳＴ７では、ステップＳＴ５の接続状態から、ストリングＳ１をＤＣ／ＤＣコンバータ８ＢからＤＣ／ＤＣコンバータ８Ａに接続を変更するとともに、ストリングＳ７，Ｓ８のうちのいずれか一方（ここではストリングＳ７）をＤＣ／ＤＣコンバータ８ＡからＤＣ／ＤＣコンバータ８Ｂに接続を変更する。具体的には、開閉スイッチ７１Ｂをオフにして開閉スイッチ７１Ａをオンに切り替えるとともに、開閉スイッチ７７Ａをオフにして開閉スイッチ７７Ｂをオンに切り替える。これにより、ＤＣ／ＤＣコンバータ８ＡにはストリングＳ１，Ｓ３，Ｓ４，Ｓ８が接続され、ＤＣ／ＤＣコンバータ８ＢにはストリングＳ２，Ｓ５，Ｓ６，Ｓ７が接続された状態となる。
【００４６】
次に、ＤＣ／ＤＣコンバータ８Ａに接続された複数のストリングＳ１，Ｓ３，Ｓ４，Ｓ８の総発電量ＰA、及びＤＣ／ＤＣコンバータ８Ｂに接続された複数のストリングＳ２，Ｓ５，Ｓ６，Ｓ７の総発電量ＰBが、ＰA＜ＰBかつＰA／ＰB≒Ｃ1の関係式を満たすか否かをチェックする（ステップＳＴ８）。このステップＳＴ８の関係式は、ステップＳＴ６の関係式と逆の関係を示すものである。
【００４７】
ステップＳＴ７において、ストリングＳ１，Ｓ２のうちストリングＳ１のみがＤＣ／ＤＣコンバータ８ＢからＤＣ／ＤＣコンバータ８Ａに接続が変更されたので、ストリングＳ１に異常が発生していれば、総発電量ＰA，ＰBはステップＳＴ６の関係式と逆の関係になり、ステップＳＴ８の関係式を満たすことになる。すなわち、ステップＳＴ８の関係式を満たすか否かによって、ストリングＳ１及びストリングＳ２のどちらに異常が発生しているかが分かる。
【００４８】
したがって、総発電量ＰA，ＰBがステップＳＴ８の関係式を満たす場合は、ストリングＳ１に異常が発生していると判定され（ステップＳＴ９）、総発電量ＰA，ＰBがステップＳＴ８の関係式を満たさない場合は、ストリングＳ２に異常が発生していると判定される（ステップＳＴ１０）。
【００４９】
一方、ステップＳＴ６において、総発電量ＰA，ＰBが当該ステップＳＴ６の関係式を満たさない場合は、ストリングＳ３，Ｓ４のいずれかに異常が発生していることが分かる。そこで、次に、ストリングＳ３，Ｓ４のどちらに異常が発生しているかを特定するために、ステップＳＴ１１に移行する。
【００５０】
ステップＳＴ１１では、ステップＳＴ５の接続状態から、ストリングＳ４をＤＣ／ＤＣコンバータ８ＡからＤＣ／ＤＣコンバータ８Ｂに接続を変更するとともに、ストリングＳ５，Ｓ６のうちのいずれか一方（ここではストリングＳ６）をＤＣ／ＤＣコンバータ８ＢからＤＣ／ＤＣコンバータ８Ａに接続を変更する。具体的には、開閉スイッチ７４Ａをオフにして開閉スイッチ７４Ｂをオンに切り替えるとともに、開閉スイッチ７６Ｂをオフにして開閉スイッチ７６Ａをオンに切り替える。これにより、ＤＣ／ＤＣコンバータ８ＡにはストリングＳ３，Ｓ６，Ｓ７，Ｓ８が接続され、ＤＣ／ＤＣコンバータ８ＢにはストリングＳ１，Ｓ２，Ｓ４，Ｓ５が接続された状態となる。
【００５１】
次に、ＤＣ／ＤＣコンバータ８Ａに接続された複数のストリングＳ３，Ｓ６，Ｓ７，Ｓ８の総発電量ＰA、及びＤＣ／ＤＣコンバータ８Ｂに接続された複数のストリングＳ１，Ｓ２，Ｓ４，Ｓ５の総発電量ＰBが、ＰA＜ＰBかつＰA／ＰB≒Ｃ1の関係式を満たすか否かをチェックする（ステップＳＴ１２）。このステップＳＴ１２の関係式は、ステップＳＴ６の関係式と逆の関係を示すものである。
【００５２】
ステップＳＴ１１において、ストリングＳ３，Ｓ４のうちストリングＳ３のみがＤＣ／ＤＣコンバータ８Ａに接続された状態で維持される。このため、ストリングＳ３に異常が発生していれば、総発電量ＰA，ＰBは、ステップＳＴ６の関係式を満たさない状態を維持するため、つまりステップＳＴ６の関係式と逆の関係になるため、ステップＳＴ１２の関係式を満たすことになる。すなわち、ステップＳＴ１２の関係式を満たすか否かによって、ストリングＳ３及びストリングＳ４のどちらに異常が発生しているかが分かる。
【００５３】
したがって、総発電量ＰA，ＰBがステップＳＴ１２の関係式を満たす場合は、ストリングＳ３に異常が発生していると判定され（ステップＳＴ１３）、総発電量ＰA，ＰBがステップＳＴ１２の関係式を満たさない場合は、ストリングＳ４に異常が発生していると判定される（ステップＳＴ１４）。
【００５４】
一方、ステップＳＴ１において、総発電量ＰA，ＰBがステップＳＴ１の関係式を満たさない場合は、図８に示すステップＳＴ２０に移行する。
ステップＳＴ２０では、図４に示す接続状態で、ＤＣ／ＤＣコンバータ８Ａに接続されたストリングＳ１〜Ｓ４の総発電量ＰA、及びＤＣ／ＤＣコンバータ８Ｂに接続されたストリングＳ５〜Ｓ８の総発電量ＰBが、ＰA＞ＰBかつＰB／ＰA≒Ｃ2の関係式を満たすか否かをチェックする。ここで、Ｃ2は定数である。
【００５５】
総発電量ＰA，ＰBがステップＳＴ２０の関係式を満たさない場合は、総発電量ＰAと総発電量ＰBとが同じ発電量となるため、ストリングＳ１〜Ｓ８及びＤＣ／ＤＣコンバータ８Ａ，８Ｂのいずれにおいても異常が発生していないと判定され（ステップＳＴ２１）、異常判定を終了する。
一方、総発電量ＰA，ＰBがステップＳＴ２０の関係式を満たす場合、すなわち総発電量ＰBが総発電量ＰAよりも少ない場合、ＤＣ／ＤＣコンバータ８Ｂ又はストリングＳ５〜Ｓ８のいずれかにおいて故障等により異常が発生していることが分かる。
【００５６】
そこで、次に、図４に示す接続状態から、接続部７の開閉スイッチ７１Ａ〜７８Ａ，７１Ｂ〜７８Ｂをそれぞれ切り替えて、ストリングＳ１〜Ｓ４をＤＣ／ＤＣコンバータ８ＡからＤＣ／ＤＣコンバータ８Ｂに接続を変更するとともに、ストリングＳ５〜Ｓ８をＤＣ／ＤＣコンバータ８ＢからＤＣ／ＤＣコンバータ８Ａに接続を変更する（ステップＳＴ２２）。具体的には、開閉スイッチ７１Ａ〜７４Ａをオフにして開閉スイッチ７１Ｂ〜７４Ｂをオンに切り替えるとともに、開閉スイッチ７５Ｂ〜７８Ｂをオフにして開閉スイッチ７５Ａ〜７８Ａをオンに切り替える。
【００５７】
次に、ＤＣ／ＤＣコンバータ８Ａに接続された複数のストリングＳ５〜Ｓ８の総発電量ＰA、及びＤＣ／ＤＣコンバータ８Ｂに接続された複数のストリングＳ１〜Ｓ４の総発電量ＰBが、ＰA＜ＰBかつＰB／ＰA≒１/Ｃ2の関係式を満たすか否かをチェックする（ステップＳＴ２３）。このステップＳＴ２３の関係式は、ステップＳＴ２０の関係式と逆の関係を示すものである。
【００５８】
ステップＳＴ２２においてストリングＳ１〜Ｓ４及びストリングＳ５〜Ｓ８は、それぞれ接続されるＤＣ／ＤＣコンバータ８Ａ，８Ｂを逆にしたので、ストリングＳ５〜Ｓ８に異常が発生していれば、総発電量ＰA，ＰBもステップＳＴ２０の関係式と逆の関係になり、ステップＳＴ２３の関係式を満たすことになる。すなわち、ステップＳＴ２３の関係式を満たすか否かによって、ストリングＳ５〜Ｓ８及びＤＣ／ＤＣコンバータ８Ｂのいずれか一方に異常が発生していることが分かる。
【００５９】
したがって、総発電量ＰA，ＰBがステップＳＴ２３の関係式を満たない場合は、ＤＣ／ＤＣコンバータ８Ｂに異常が発生していると判定される（ステップＳＴ２４）。
一方、総発電量ＰA，ＰBがステップＳＴ２３の関係式を満たす場合は、ストリングＳ５〜Ｓ８のいずれかに異常が発生していることが分かる。そこで、次に、その異常が発生しているストリングを特定していくために、次のステップＳＴ２５に移行する。
【００６０】
ステップＳＴ２５では、ステップＳＴ２２の接続状態から、ストリングＳ７，Ｓ８をＤＣ／ＤＣコンバータ８ＡからＤＣ／ＤＣコンバータ８Ｂに接続を変更するとともに、ストリングＳ１〜Ｓ４のうちのいずれか２個（ここではストリングＳ１，Ｓ２）をＤＣ／ＤＣコンバータ８ＢからＤＣ／ＤＣコンバータ８Ａに接続を変更する。具体的には、開閉スイッチ７７Ａ，７８Ａをオフにして開閉スイッチ７７Ｂ，７８Ｂをオンに切り替えるとともに、開閉スイッチ７１Ｂ，７２Ｂをオフにして開閉スイッチ７１Ａ，７２Ａをオンに切り替える。これにより、ＤＣ／ＤＣコンバータ８ＡにはストリングＳ１，Ｓ２，Ｓ５，Ｓ６が接続され、ＤＣ／ＤＣコンバータ８ＢにはストリングＳ３，Ｓ４，Ｓ７，Ｓ８が接続された状態となる。
【００６１】
次に、ＤＣ／ＤＣコンバータ８Ａに接続された複数のストリングＳ１，Ｓ２，Ｓ５，Ｓ６の総発電量ＰA、及びＤＣ／ＤＣコンバータ８Ｂに接続された複数のストリングＳ３，Ｓ４，Ｓ７，Ｓ８の総発電量ＰBが、ＰA＜ＰBかつＰB／ＰA≒１/Ｃ2の関係式を満たすか否かをチェックする（ステップＳＴ２６）。このステップＳＴ２６の関係式は、ステップＳＴ２３の関係式と同じものである。
【００６２】
ステップＳＴ２５において、ストリングＳ５〜Ｓ８のうちストリングＳ５，Ｓ６がＤＣ／ＤＣコンバータ８Ａに接続された状態で維持される。このため、ストリングＳ５又はストリングＳ６に異常が発生していれば、総発電量ＰA，ＰBはステップＳＴ２３の関係式と同じ関係になるため、ステップＳＴ２６の関係式を満たすことになる。すなわち、ステップＳＴ２６の関係式を満たすか否かによって、ストリングＳ５，Ｓ６及びストリングＳ７，Ｓ８のいずれか一方に異常が発生していることが分かる。
【００６３】
したがって、総発電量ＰA，ＰBがステップＳＴ２６の関係式を満たす場合は、ストリングＳ５，Ｓ６のいずれかに異常が発生していることが分かる。そこで、次に、ストリングＳ５及びストリングＳ６のどちらに異常が発生しているかを特定するために、次のステップＳＴ２７に移行する。
【００６４】
ステップＳＴ２７では、ステップＳＴ２５の接続状態から、ストリングＳ５をＤＣ／ＤＣコンバータ８ＡからＤＣ／ＤＣコンバータ８Ｂに接続を変更するとともに、ストリングＳ３，Ｓ４のうちのいずれか一方（ここではストリングＳ３）をＤＣ／ＤＣコンバータ８ＢからＤＣ／ＤＣコンバータ８Ａに接続を変更する。具体的には、開閉スイッチ７５Ａをオフにして開閉スイッチ７５Ｂをオンに切り替えるとともに、開閉スイッチ７３Ｂをオフにして開閉スイッチ７３Ａをオンに切り替える。これにより、ＤＣ／ＤＣコンバータ８ＡにはストリングＳ１，Ｓ２，Ｓ３，Ｓ６が接続され、ＤＣ／ＤＣコンバータ８ＢにはストリングＳ４，Ｓ５，Ｓ７，Ｓ８が接続された状態となる。
【００６５】
次に、ＤＣ／ＤＣコンバータ８Ａに接続された複数のストリングＳ１，Ｓ２，Ｓ３，Ｓ６の総発電量ＰA、及びＤＣ／ＤＣコンバータ８Ｂに接続された複数のストリングＳ４，Ｓ５，Ｓ７，Ｓ８の総発電量ＰBが、ＰA＞ＰBかつＰB／ＰA≒Ｃ2の関係式を満たすか否かをチェックする（ステップＳＴ２８）。このステップＳＴ２８の関係式は、ステップＳＴ２６の関係式と逆の関係を示すものである。
【００６６】
ステップＳＴ２７において、ストリングＳ５，Ｓ６のうちストリングＳ５のみがＤＣ／ＤＣコンバータ８ＡからＤＣ／ＤＣコンバータ８Ｂに接続が変更されたので、ストリングＳ５に異常が発生していれば、総発電量ＰA，ＰBはステップＳＴ２６の関係式と逆の関係になり、ステップＳＴ２８の関係式を満たすことになる。すなわち、ステップＳＴ２８の関係式を満たすか否かによって、ストリングＳ５及びストリングＳ６のどちらに異常が発生しているかが分かる。
【００６７】
したがって、総発電量ＰA，ＰBがステップＳＴ２８の関係式を満たす場合は、ストリングＳ５に異常が発生していると判定され（ステップＳＴ２９）、総発電量ＰA，ＰBがステップＳＴ２８の関係式を満たさない場合は、ストリングＳ６に異常が発生していると判定される（ステップＳＴ３０）。
【００６８】
一方、ステップＳＴ２６において、総発電量ＰA，ＰBが当該ステップＳＴ２６の関係式を満たさない場合は、ストリングＳ７，Ｓ８のいずれかかに異常が発生していることが分かる。そこで、次に、ストリングＳ７，Ｓ８のどちらに異常が発生しているかを特定するために、ステップＳＴ３１に移行する。
【００６９】
ステップＳＴ３１では、ステップＳＴ２５の接続状態から、ストリングＳ８をＤＣ／ＤＣコンバータ８ＢからＤＣ／ＤＣコンバータ８Ａに接続を変更するとともに、ストリングＳ１，Ｓ２のうちのいずれか一方（ここではストリングＳ２）をＤＣ／ＤＣコンバータ８ＡからＤＣ／ＤＣコンバータ８Ｂに接続を変更する。具体的には、開閉スイッチ７８Ｂをオフにして開閉スイッチ７８Ａをオンに切り替えるとともに、開閉スイッチ７２Ａをオフにして開閉スイッチ７２Ｂをオンに切り替える。これにより、ＤＣ／ＤＣコンバータ８ＡにはストリングＳ１，Ｓ５，Ｓ６，Ｓ８が接続され、ＤＣ／ＤＣコンバータ８ＢにはストリングＳ２，Ｓ３，Ｓ４，Ｓ７が接続された状態となる。
【００７０】
次に、ＤＣ／ＤＣコンバータ８Ａに接続された複数のストリングＳ１，Ｓ５，Ｓ６，Ｓ８の総発電量ＰA、及びＤＣ／ＤＣコンバータ８Ｂに接続された複数のストリングＳ２，Ｓ３，Ｓ４，Ｓ７の総発電量ＰBが、ＰA＞ＰBかつＰB／ＰA≒Ｃ2の関係式を満たすか否かをチェックする（ステップＳＴ３２）。このステップＳＴ３２の関係式は、ステップＳＴ２６の関係式と逆の関係を示すものである。
【００７１】
ステップＳＴ３１において、ストリングＳ７，Ｓ８のうちストリングＳ７のみがＤＣ／ＤＣコンバータ８Ｂに接続された状態で維持される。このため、ストリングＳ７に異常が発生していれば、総発電量ＰA，ＰBは、ステップＳＴ２６の関係式を満たさない状態を維持するため、つまりステップＳＴ２６の関係式と逆の関係となるため、ステップＳＴ３２の関係式を満たすことになる。すなわち、ステップＳＴ３２の関係式を満たすか否かによって、ストリングＳ７及びストリングＳ８のどちらに異常が発生しているかが分かる。
【００７２】
したがって、総発電量ＰA，ＰBがステップＳＴ３２の関係式を満たす場合は、ストリングＳ７に異常が発生していると判定され（ステップＳＴ３３）、総発電量ＰA，ＰBがステップＳＴ３２の関係式を満たさない場合は、ストリングＳ８に異常が発生していると判定される（ステップＳＴ３４）。
【００７３】
なお、本実施形態では、上述の判定方法を用いているが、下記式（１）及び（２）を含む連立方程式を用いて異常を判定することもできる。
ＰA＝（ｘ1＋ｘ2＋ｘ3＋ｘ4）αＰ  ・・・（１）
ＰB＝（ｘ5＋ｘ6＋ｘ7＋ｘ8）αＰ  ・・・（２）
ここで、ＰAはＤＣ／ＤＣコンバータ８Ａに接続された複数のストリングの総発電量、ＰBはＤＣ／ＤＣコンバータ８Ｂに接続された複数のストリングの総発電量であり、ＰA，ＰBは、いずれも計測情報に含まれる各ストリングの出力電流及び出力電圧から算出される。Ｐは、ストリング毎の定格発電量である。αは、日射係数であり、日射量で決まる値である。ｘ1〜ｘ8は、各ストリングＳ１〜Ｓ８の発電係数（０≦ｘn≦1，ｎは１〜８の自然数）である。
【００７４】
ｘ1〜ｘ8は、正常であればｘn≒１となり、異常が発生すればｘn＜１となる。したがって、８個の不明パラメータであるｘ1〜ｘ8を、８式の連結方程式から求めることで、異常を判定することができる。その８式の連結方程式を用意するためには、上記式（１）及び（２）の２式と異なる条件となる６式が別途必要になる。これらの６式は、接続部７の開閉スイッチ７１Ａ〜７８Ａ，７１Ｂ〜７８Ｂをそれぞれ切り替えて、各ＤＣ／ＤＣコンバータ８Ａ，８Ｂに接続されるストリングを変更することで、例えば下記式（３）〜（８）のように作成することができる。そして、式（１）〜（８）の連立方程式からｘ1〜ｘ8を解いたときに、各ｘ1〜ｘ8の値のいずれかが１よりも小さい値となっていれば、その値を示すｘnに対応するストリングに異常が発生していると判定することができる。
ＰA＝（ｘ5＋ｘ6＋ｘ7＋ｘ8）αＰ  ・・・（３）
ＰB＝（ｘ1＋ｘ2＋ｘ3＋ｘ4）αＰ  ・・・（４）
ＰA＝（ｘ3＋ｘ4＋ｘ7＋ｘ8）αＰ  ・・・（５）
ＰB＝（ｘ1＋ｘ2＋ｘ5＋ｘ6）αＰ  ・・・（６）
ＰA＝（ｘ1＋ｘ3＋ｘ4＋ｘ8）αＰ  ・・・（７）
ＰB＝（ｘ2＋ｘ5＋ｘ6＋ｘ7）αＰ  ・・・（８）
【００７５】
以上、本実施形態の太陽光発電システム１によれば、ＤＣ／ＤＣコンバータ８Ａ，８Ｂの総数は、ストリングＳ１〜Ｓ８の総数よりも少ないため、従来のストリングＳ１〜Ｓ８毎にＤＣ／ＤＣコンバータを設置する場合に比べて設備コストを低減することができる。また、各ストリングＳ１〜Ｓ８に対してＤＣ／ＤＣコンバータ８Ａ，８Ｂのいずれかを選択して接続することができるため、異常が発生したときに各ストリングＳ１〜Ｓ８に対して接続するＤＣ／ＤＣコンバータを適宜変更し、変更前の各ＤＣ／ＤＣコンバータ８Ａ，８Ｂの発電量と変更後の各ＤＣ／ＤＣコンバータ８Ａ，８Ｂの発電量とを比較することで、異常が発生したストリングを特定していくことができる。これにより、低コストで、ストリング単位の異常を判定することができる。
特に、太陽を追尾する追尾架台５を備えた太陽追尾型の太陽光発電システム１において問題となる設備コストの増大を効果的に低減することができる。
【００７６】
また、複数のストリングＳ１〜Ｓ８は、直列に接続される太陽電池パネル４の個数がいずれも同一であるため、異常が発生したストリングを容易に特定することができる。
また、複数のＤＣ／ＤＣコンバータ８Ａ，８Ｂは、接続部７により接続されるストリングの個数がいずれも同一であるため、異常が発生したストリングをさらに容易に特定することができる。
【００７７】
また、接続部７は、入手しやすい開閉スイッチ７１Ａ〜７８Ａ，７１Ｂ〜７８Ｂを用いているので、太陽光発電システム１の設備コストをさらに低減することができる。
また、太陽光発電システム１は、各ストリングＳ１〜Ｓ８の出力電流及び出力電圧を計測する計測部８２と、この計測部８２の計測結果を出力する出力部（通信部）８を備えているため、出力部から出力された各ストリングＳ１〜Ｓ８の出力電流及び出力電圧に基づいて、異常が発生したストリングを特定することができる。
【００７８】
＜第２実施形態＞
図９は、本発明の第２実施形態に係る太陽光発電システム１の太陽光発電装置２を示すブロック図である。図９に示すように、本実施形態の太陽光発電装置２は、接続部７の構成が異なる点で第１実施形態と異なる。接続部７は、各ストリングＳ１〜Ｓ８に対して、複数のＤＣ／ＤＣコンバータ８Ａ，８Ｂのいずれか１つを接続するように切り替え可能な複数（図例では８個）の切替スイッチ７１Ｃ〜７８Ｃを有している。なお、本実施形態の切替スイッチ７１Ｃ〜７８Ｃは、いずれも手動で切り替え操作される。
【００７９】
切替スイッチ７１Ｃは、ストリングＳ１に対するＤＣ／ＤＣコンバータ８Ａ及びＤＣ／ＤＣコンバータ８Ｂのいずれか１つを接続するように切り替わる。同様に、切替スイッチ７２Ｃ〜７８Ｃは、それぞれストリングＳ２〜Ｓ８に対するＤＣ／ＤＣコンバータ８Ａ及びＤＣ／ＤＣコンバータ８Ｂのいずれか１つを接続するように切り替わる。
【００８０】
本実施形態では、通常時は、切替スイッチ７１Ｃ〜７４ＣをＤＣ／ＤＣコンバータ８Ａに接続した切り替え位置とし、切替スイッチ７５Ｃ〜７８ＣをＤＣ／ＤＣコンバータ８Ｂに接続した切り替え位置としている。これにより、複数のＤＣ／ＤＣコンバータ８Ａ，８Ｂは、接続部７により接続されるストリングＳ１〜Ｓ８の個数がいずれも同一とされている。なお、第２実施形態において説明を省略した点は、第１実施形態と同様である。
【００８１】
以上、本実施形態の太陽光発電システム１によれば、切替スイッチ７１Ｃ〜７８Ｃにより、各ストリングＳ１〜Ｓ８に対してＤＣ／ＤＣコンバータ８Ａ，８Ｂのいずれか１つが接続されるので、各ストリングＳ１〜Ｓ８に複数のＤＣ／ＤＣコンバータ８Ａ，８Ｂが同時に接続されるのを防止することができる。
【００８２】
＜第３実施形態＞
図１０は、本発明の第３実施形態に係る太陽光発電システム１の全体構成を示すブロック図である。本実施形態の太陽光発電システム１は、第２実施形態の変形例であり、各太陽光発電装置２の接続部７が、複数の切替スイッチ７１Ｃ〜７８Ｃに加えて、複数（図例では８個）の開閉器７１Ｄ〜７８Ｄを有している。
【００８３】
開閉器７１Ｄ〜７８Ｄは、各切替スイッチ７１Ｃ〜７８Ｃと各ストリングＳ１〜Ｓ８との接続を個別にオン・オフ切り替えするものである。開閉器７１Ｄ〜７８Ｄは、通常時はオン状態に維持されており、各ストリングＳ１〜Ｓ８等のメンテナンス作業時にオフ状態とされる。
本実施形態の切替スイッチ７１Ｃ〜７８Ｃは、電磁リレーからなり、図示しない電磁コイルへの通電・非通電を切り替えることで、各ストリングＳ１〜Ｓ８に対して複数のＤＣ／ＤＣコンバータ８Ａ，８Ｂのいずれか１つを接続するように切り替わる。
【００８４】
図１１は、本実施形態の中央装置１１の内部構成を示す機能ブロック図である。図１１に示すように、中央装置１１は、制御部１２と、通信部（出力部）１３と、表示部１４と、記憶部１５と、遠隔操作部１６とを含んでいる。
遠隔操作部１６は、各太陽光発電装置２における接続部７の切替スイッチ７１Ｃ〜７８Ｃの切り替えを遠隔操作するものである。具体的には、遠隔操作部１６は、制御部１２からの制御指令に従って、各切替スイッチ７１Ｃ〜７８Ｃの電磁コイルへの通電・非通電を切り替えるようになっている。図１０に示すように、遠隔操作部１６は、複数（図例では８本）の信号線３１〜３８により各太陽光発電装置２の接続部７に接続されている。
【００８５】
図１２は、信号線３１〜３８の配線経路を示すブロック図である。なお、図１２では、複数の信号線３１〜３８のうち１本の信号線３１のみを記載し、他の信号線３２〜３８の記載を省略している。図１０及び図１２に示すように、各信号線３１〜３８は、遠隔操作部１６から全ての太陽光発電装置２の接続部７を通過するように配置されている。そして、これら信号線３１〜３８のうち、信号線３１は全ての太陽光発電装置２の切替スイッチ７１Ｃに接続され、信号線３２は全ての太陽光発電装置２の切替スイッチ７２Ｃに接続されている。同様に、信号線３３〜３８は、全ての太陽光発電装置２の切替スイッチ７３Ｃ〜７８Ｃにそれぞれ接続されている。これにより、遠隔操作部１６から各信号線３１〜３８を介して、全ての太陽光発電装置２の切替スイッチ７１Ｃ〜７８Ｃを一括して切り替えることができる。
【００８６】
図１１に示すように、中央装置１１の制御部１２は、この制御部１２が実行するコンピュータプログラムの機能部分として判定部１７を備えている。記憶部１５は、判定部１７の判定プログラムを記憶している。
判定部１７は、通信部１３が受信した計測情報に基づいて、各ストリングＳ１〜Ｓ８及び各ＤＣ／ＤＣコンバータ８Ａ，８Ｂの異常を判定する。その具体的な判定方法は、第１実施形態の判定方法であるステップＳＴ１〜ステップＳＴ３４を前記判定プログラムが自動的に行うようになっている。その際、ステップＳＴ２やステップＳＴ５等において、各ストリングＳ１〜Ｓ８に対するＤＣ／ＤＣコンバータ８Ａ，８Ｂの接続の変更は、判定部１７が遠隔操作部１６に制御指令を出力し、その指令に基づいて遠隔操作部１６が各接続部７の切替スイッチ７１Ｃ〜７８Ｃを遠隔で切り替え操作することによって行われる。なお、判定部１７は、各ストリングＳ１〜Ｓ８及び各ＤＣ／ＤＣコンバータ８Ａ，８Ｂのうちの少なくとも一方の異常を判定すれば良い。また、第３実施形態において説明を省略した点は、第１及び第２実施形態と同様である。
【００８７】
以上、本実施形態の太陽光発電システム１によれば、中央装置１１が、各太陽光発電装置２の接続部７における切替スイッチ７１Ｃ〜７８Ｃの切り替えを遠隔操作可能な遠隔操作部１６を備えているため、遠隔操作部１６により各ストリングＳ１〜Ｓ８に対する複数のＤＣ／ＤＣコンバータ８Ａ，８Ｂの選択接続が容易となる。
また、ストリングＳ１〜Ｓ８及びＤＣ／ＤＣコンバータ８Ａ，８Ｂの異常を判定部１７により自動的に判定することができるため、これらの異常を迅速に判定することができる。
【００８８】
また、遠隔操作部１６により、全ての太陽光発電装置２の切替スイッチ７１Ｃ〜７８Ｃを一括して切り替えることができるため、特に大規模な太陽光発電システム１において非常に有効となる。例えば、本実施形態の判定部１７の異常判定方法では、ステップＳＴ２等においてストリングＳ１〜Ｓ８に対する各ＤＣ／ＤＣコンバータ８Ａ，８Ｂの接続を変更する際に、８個のストリングＳ１〜Ｓ８を４個１組として組み合せることから、ＤＣ／ＤＣコンバータ８Ａ及びＤＣ／ＤＣコンバータ８Ｂが等価とすれば３５通りの組み合わせがある。したがって、夜間の発電量がゼロのときに自動で切替スイッチ７１Ｃ〜７８Ｃを切り替え可能とし、前記組み合わせを毎晩変更することで、３５日の周期で異常が発生しているストリングＳ１〜Ｓ８又はＤＣ／ＤＣコンバータ８Ａ，８Ｂを自動的に判定することが可能となる。
【００８９】
＜その他の変形例＞
なお、今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
例えば、上記実施形態における接続部は、各ストリングに対して２個のＤＣ／ＤＣコンバータを選択接続しているが、各ストリングに対して３個以上のＤＣ／ＤＣコンバータのうちの任意のＤＣ／ＤＣコンバータを選択接続するようにしても良い。
【符号の説明】
【００９０】
１  太陽光発電システム
２  太陽光発電装置
３  太陽電池アレイ
４  太陽電池パネル
４ａ  受光面
５  追尾架台
５ａ  柱部
５ｂ  旋回台
５ｃ  支持部材
６  駆動部
６ａ  起伏駆動部
６ｂ  旋回駆動部
７  接続部
７１Ａ〜７８Ａ  開閉スイッチ
７１Ｂ〜７８Ｂ  開閉スイッチ
７１Ｃ〜７８Ｃ  切替スイッチ
７１Ｄ〜７８Ｄ  開閉器
８Ａ，８Ｂ  ＤＣ／ＤＣコンバータ
８１  制御部
８２  計測部
８３  通信部（出力部）
８４  記憶部
９  インバータ
１１  中央装置  
１２  制御部
１３  通信部（取得部）
１４  表示部
１５  記憶部
１６  遠隔操作部
１７  判定部
３１〜３８  信号線
Ｓ１〜Ｓ８  ストリング
【図１】
2015162927.tif 000003
【図２】
2015162927.tif 000004
【図３】
2015162927.tif 000005
【図４】
2015162927.tif 000006
【図５】
2015162927.tif 000007
【図６】
2015162927.tif 000008
【図７】
2015162927.tif 000009
【図８】
2015162927.tif 000010
【図９】
2015162927.tif 000011
【図１０】
2015162927.tif 000012
【図１１】
2015162927.tif 000013
【図１２】
2015162927.tif 000014